(57)【特許請求の範囲】
【請求項１】
異メーカの実装機を含むラインにおいて、実装機が基板実装を行うためのデータを作成する実装機データ作成方法であって、
実装機データ作成装置により、実装する基板のＣＡＤデータを取り込む工程と、
前記実装機データ作成装置により、前記取り込んだデータに関して異メーカの実装機も含めて振り分ける工程と、
異メーカでない実装機に振り分けられたデータについては、前記実装機データ作成装置により、異メーカでない実装機のＮＣデータに変換するが、異メーカの実装機に振り分けられたデータについては、前記実装機データ作成装置により、異メーカ用実装機データ作成装置の入力データフォーマットに変換し出力する工程とを有することを特徴とする実装機データ作成方法。
【請求項２】
異メーカの実装機も含めて振り分ける工程において、設備と部品形状毎に実装タクトを決定したテーブルを参照して振り分ける請求項１に記載の実装機データ作成方法。
【請求項３】
異メーカの実装機に振り分けられたデータを、異メーカ用実装機データ作成装置の入力データフォーマットに変換する場合に、フォーマット定義手段で定義された形式のフォーマットに変換する請求項１または請求項２に記載の実装機の作成方法。
【請求項４】
異メーカでない実装機に振り分けられたデータについて、実装順序や部品の配列を最適化し、最適化されたデータをＮＣデータに変換する請求項１ないし請求項３のいずれか１項に記載の実装機の作成方法。
【請求項５】
異メーカの実装機に振り分けられたデータについては、異メーカ用実装機データ作成装置により、異メーカの実装機のＮＣデータを作成する請求項１ないし請求項４のいずれか１項に記載の実装機の作成方法。
【請求項６】
異メーカの実装機を含むラインにおいて、実装機が基板実装を行うためのデータを作成する実装機データ作成装置であって、
実装する基板のＣＡＤデータを取り込むＣＡＤデータ取り込み手段と、
前記取り込んだデータに関して異メーカの実装機も含めて振り分ける異メーカ振り分け手段と、
異メーカでない実装機に振り分けられたデータについて、異メーカでない実装機のＮＣデータに変換するＮＣデータ生成手段と、
異メーカの実装機に振り分けられたデータについて、異メーカ用実装機データ作成装置の入力データフォーマットに変換するフォーマット変換手段とを有する実装機データ作成装置。
【請求項７】
異メーカ間振り分け手段は、設備と部品形状毎に実装タクトを決定したテーブルを参照して振り分ける請求項６に記載の実装機データ作成装置。
【請求項８】
異メーカ用実装機データ作成装置の入力データフォーマットを定義するフォーマット定義手段を有し、フォーマット変換手段は、異メーカの実装機に振り分けられたデータについて、フォーマット定義手段で定義された形式でフォーマットに変換する請求項６または請求項７に記載の実装機データ作成装置。
【請求項９】
異メーカでない実装機に振り分けられたデータについて、実装順序や部品の配列を最適化する最適化手段を有する請求項６ないし請求項８のいずれか１項に記載の実装機データ作成装置。
【発明の詳細な説明】
【０００１】
【発明の属する技術分野】
本発明は、実装ラインに異機種の実装機が混在する場合においても、全ての実装機に対するＮＣデータ若しくはその元データを供給する実装機データ作成方法及び装置に関するものである。
【０００２】
【従来の技術】
近年、実装工場では同じ機種（メーカー）の実装機だけでラインを構成して実装することが少なくなり、異機種の実装機が同じラインに混在する場合が多くなってきている。当然のことながら、同じ機種の場合はその機種の実装機データ作成装置を用いてその機種のデータ作成を行なうことができるが、異機種の実装機のデータは作成できない。データを作成しようとすれば、初期準備としてＣＡＤデータを手動で振り分け、その振り分けたＣＡＤデータを各実装機データ作成装置に入力し、データを作成する必要がある。したがって、異機種の実装機を含むラインでのデータ作成を手動で振り分ける作業を不要にできる実装機データ作成方法及び装置の提供が望まれている。
【０００３】
以下に、従来の実装機データ作成方法について、図２を参照して説明する。図２において、１１は実際に実装する基板のＣＡＤデータ、１２、１３はそれぞれ異機種用の実装機データ作成装置である。１４、１５は実装機であり、それぞれ異機種の実装機であるが、１つのラインを構成している。
【０００４】
そして、ＣＡＤから出力された基板１枚分のＣＡＤデータ１１を、汎用の編集ソフトを用いて作業者の判断で各実装機に対する振り分けを決定し、ＣＡＤデータを分割する。次に、分割されたＣＡＤデータを各機種用の実装機データ作成装置１２、１３にそれぞれ入力する。そして、各機種用の実装機データ作成装置１２、１３にて各機種の実装機を動作させるＮＣデータを作成し、そのＮＣデータを実装機１４、１５に入力して動作させることにより、１ラインで１枚の基板を完成している。
【０００５】
【発明が解決しようとする課題】
しかしながら、上記従来のデータ作成方法では、ＣＡＤデータを手動で異機種の実装機に振り分け、データを分割する必要があるため、振り分け状態を決定するのに作業者の負担が大きく、分割入力ミスも発生しやすい状態であった。また、作業者のノウハウのレベルにより振り分けのタクトバランスの精度も大きく影響されるため、タクトバランンス精度が悪い場合には稼働率が低下するという問題があった。
【０００６】
本発明は、上記従来の問題点に鑑み、異機種の実装機が混在する実装ラインにおける各実装機のＮＣデータを作成する場合に、作業者の負担を軽くし、かつタクトバランスが良く、分割入力ミスのない正確なＮＣデータが得られ、稼働率向上、不良率の低下を実現できる実装機データ作成方法及び装置を提供することを目的としている。
【０００７】
【課題を解決するための手段】
本発明は、異メーカの実装機を含むラインにおいて、実装機が基板実装を行うためのデータを作成する実装機データ作成方法であって、実装機データ作成装置により、実装する基板のＣＡＤデータを取り込む工程と、前記実装機データ作成装置により、前記取り込んだデータに関して異メーカの実装機も含めて振り分ける工程と、異メーカでない実装機に振り分けられたデータについては、前記実装機データ作成装置により、異メーカでない実装機のＮＣデータに変換するが、異メーカの実装機に振り分けられたデータについては、前記実装機データ作成装置により、異メーカ用実装機データ作成装置の入力データフォーマットに変換し出力する工程とを有することを特徴とする。
これにより、自動的にデータを振り分けて、各メーカ用の実装機データ作成装置によりＮＣデータを作成するので、作業者の負担を軽くし、分割入力ミスも発生しないようにできる。
【０００８】
また、入力データフォーマットを定義する工程又は手段を設けてユーザーの指定形式で出力可能とすることにより、他のシステムとのインターフェースも良好となる。
【０００９】
【発明の実施の形態】
以下、本発明の一実施形態について図１を参照して説明する。
【００１０】
図１において、１は実装する基板のＣＡＤデータ、２は実装機データ作成装置である。この実装機データ作成装置２は、ＣＡＤデータ取り込み手段２１、異機種間振り分け手段２２、最適化手段２３、ＮＣデータ生成手段２４、ＮＣデータ出力手段２５、フォーマット定義手段２６、フォーマット変換手段２７、データ出力手段２８にて構成されている。３はフォーマット変換された異機種用実装機データ作成装置への入力データ、４は異機種実装機データ作成装置、５及び５は同機種の実装機であり、６は異機種の実装機である。７は部品の情報を有する部品データベース、８は設備の情報を有する設備データベースである。
【００１１】
以上の構成において、まずＣＡＤシステムから出力される実装基板のＣＡＤデータ１をＣＡＤデータ取り込み手段２１により実装機データ作成装置２に取り込む。そのデータを部品データベース７及び設備データベース８を参照しながら異機種間振り分け手段２２でタクトバランス良く振り分けを行なう。異機種間振り分け手段２２では、設備と部品形状毎にタクトが決定されているテーブルを参照しているため、機種には依存しない機能を有している。
【００１２】
次に、異機種でない実装機のデータについては、最適化手段２３により実装タクトが最小になるように実装順序や部品の配列を決定し、実装順序や部品の最適化を図る。次に、最適化されたデータをＮＣデータ生成手段２４により各実装機５の動作命令に変換し、実装機５が直接動作できるＮＣデータとしてＮＣデータ出力手段２５により出力する。その後、出力されたＮＣデータを各実装機５に入力し、基板実装を行なう。
【００１３】
異機種の実装機に振り分けられたデータについてはフォーマット定義手段２６で定義された形式でフォーマット変換手段２７によりフォーマット変換し、データ出力手段２８により入力データ３として出力する。この入力データ３を異機種実装機データ作成装置４に入力し、異機種の実装機６のＮＣデータを作成する。
【００１４】
これを異機種の実装機６に入力し、基板実装を行なう。
【００１５】
【発明の効果】
本発明の実装機データ作成方法及び装置によれば、自動的にタクトバランス良くデータを振り分けて各機種用の実装機データ作成装置によりＮＣデータを作成でき、作業者のタクトバランスを取るためのノウハウを必要とせず、かつ負担も軽くなり、分割入力ミスも発生しないようにでき、従ってタクトバランスの良い正確なＮＣデータを容易に作成できて、稼働率向上、不良率の低下を実現できる。
【００１６】
また、入力データフォーマットを定義できるようにしてユーザーの指定形式で出力可能とすることにより、他のシステムとのインターフェースも良好にすることができ、システム拡張が容易にできる。
【図面の簡単な説明】
【図１】本発明の一実施形態の実装機データ作成装置の構成とデータ作成工程の説明図である。
【図２】従来例の実装機データ作成工程の説明図である。
【符号の説明】
１  ＣＡＤデータ
２  実装機データ作成装置
３  入力データ
４  異機種実装機データ作成装置
５  実装機
６  異機種の実装機
７  部品データベース
８  設備データベース
２１  ＣＡＤデータ取り込み手段
２２  異機種間振り分け手段
２３  最適化手段
２４  ＮＣデータ生成手段
２６  フォーマット定義手段
２７  フォーマット変換手段
２８  データ出力手段
【図１】
0003634044.tif 000002
【図２】
0003634044.tif 000003